(57)【特許請求の範囲】
【請求項１】
ハンガー本体部と、フック部と、ハサミ支持具と、ハサミとからなる衣料品用ハンガーにおいて、少なくとも前記ハサミ支持具を、非磁性体金属と該非磁性体金属の中空部に充填した合成樹脂との複合材で構成し、前記ハサミ支持具の端部に、中空部に充填される合成樹脂を膨出させた一体成形よりなり、ハサミ支持具をハンガー本体部に取り付けるための脱着可能な取付部を設けたことを特徴とする衣料品用ハンガー。
【請求項２】
請求項１記載の衣料品用ハンガーにおいて、前記フック部を、非磁性体金属と該非磁性体金属の中空部に充填した合成樹脂との複合材で構成し、前記フック部の端部に、中空部に充填される合成樹脂を膨出させた一体成形よりなり、フック部をハンガー本体部に取り付けるための脱着可能な取付部を設けたことを特徴とする衣料品用ハンガー。
【請求項３】
ハンガー本体部と、フック部と、ハサミ支持具と、ハサミとからなる衣料品用ハンガーにおいて、少なくとも前記フック部を、非磁性体金属と該非磁性体金属の中空部に充填した合成樹脂との複合材で構成し、前記フック部の端部に、中空部に充填される合成樹脂を膨出させた一体成形よりなり、フック部をハンガー本体部に取り付けるための脱着可能な取付部を設けたことを特徴とする衣料品用ハンガー。
【請求項４】
請求項１乃至３記載の衣料品用ハンガーにおいて、取付部は、すり割りを設けた矢形状にされている衣料品用ハンガー。
【請求項５】
請求項４記載の衣料品用ハンガーにおいて、ハンガー本体部は、前記取付部が嵌込まれる嵌合部と、外部から所定の深さに穿たれ、前記取付部の先端部がその内部に突出する開口部とを備えている衣料品用ハンガー。
【請求項６】
ハンガー本体部と、フック部と、ハサミ支持具と、ハサミとからなる衣料品用ハンガーにおいて、少なくとも前記ハサミ支持具を、非磁性体金属と該非磁性体金属の中空部に充填した合成樹脂との複合材で構成すると共に、非磁性体金属の所定部分に外面から中空部に連通する複数の穴を設け、該穴を介して前記ハンガー本体部と前記ハサミ支持具の先端に設けられるハサミ抜止部とを前記合成樹脂の一体成形で構成したことを特徴とする衣料品用ハンガー。
【発明の詳細な説明】
【０００１】
【産業上の利用分野】
本発明は、衣料品用ハンガーに関する。
【０００２】
【従来の技術及び発明が解決しようとする課題】
従来より物流アパレル用のハンガーとして、懸吊される衣料品の製縫時の針の残存有無を磁気的に検針できるようにするために、フック部とハサミ支持具が、非磁性体金属例えばアルミニウム合金または銅合金で作られているもの（実公平６−３００５４号公報）、または合成樹脂で作られているものがあった。
しかし、アルミニウム合金または銅合金製のものは、多くの工程を必要とするため加工が難しく、加工上傷が付き易いという問題があった。
例えば、図５（Ａ）に示すようなフック部の加工には下記のような工程を必要とした。
１．線材を所定の長さに切断する。
２．切断した線材の一端にロールで取付ネジ部４１を切る。
３．切断した線材の他端をヘッダで丸める（４２）。
４．前記１〜３工程を経たものをフック状に曲げる。
【０００３】
また、例えば図５（Ｂ）に示すようなハサミ支持具の加工には下記のような工程を必要とした。
１．線材を所定の長さに切断する。
２．抜け防止部４３を付ける。
３．所定の形状に曲げる。
【０００４】
しかし、上記の加工工程において完成するまでの間に傷が付き易いという問題があった。
また、アルミニウム合金または銅合金製のものは、上記の問題のほかに素材が高価であるという問題もあった。
これに対して、合成樹脂製のものは、加工は簡単であるが強度に難があった。
さらに、図５のハンガーは、フック部やハサミ支持具等が損傷して使えなくなった場合は、ハンガー全体を交換しなければならなかった。
【０００５】
本発明の第１の目的は、上記従来の問題点を解決し、加工が容易で傷が付きにくくしかも優れた強度をもつと共に、構成部材を容易に交換することができる衣料品用ハンガーを提供することにある。
また、本発明の第２の目的は、製造が容易な衣料品用ハンガーを提供することにある。
【０００６】
【課題を解決するための手段】
本発明に係る衣料品用ハンガーは、ハンガー本体部と、フック部と、ハサミ支持具と、ハサミとからなる衣料品用ハンガーにおいて、少なくとも前記ハサミ支持具を、非磁性体金属と該非磁性体金属の中空部に充填した合成樹脂との複合材で構成し、前記ハサミ支持具の端部に、中空部に充填される合成樹脂を膨出させた一体成形よりなり、ハサミ支持具をハンガー本体部に取り付けるための脱着可能な取付部を設けたものである。
【０００７】
また、本発明に係る衣料品用ハンガーは、ハンガー本体部と、フック部と、ハサミ支持具と、ハサミとからなる衣料品用ハンガーにおいて、少なくとも前記フック部を、非磁性体金属と該非磁性体金属の中空部に充填した合成樹脂との複合材で構成し、前記フック部の端部に、中空部に充填される合成樹脂を膨出させた一体成形よりなり、フック部をハンガー本体部に取り付けるための脱着可能な取付部を設けたものである。
【０００８】
取付部は、すり割りを設けた矢形状にされているものである。
ハンガー本体部は、前記取付部が嵌込まれる嵌合部と、外部から所定の深さに穿たれ、前記取付部の先端部がその内部に突出する開口部とを備えているものである。
さらに、本発明に係る衣料品用ハンガーは、ハンガー本体部と、フック部と、ハサミ支持具と、ハサミとからなる衣料品用ハンガーにおいて、少なくとも前記ハサミ支持具を、非磁性体金属と該非磁性体金属の中空部に充填した合成樹脂との複合材で構成すると共に、非磁性体金属の所定部分に外面から中空部に連通する複数の穴を設け、該穴を介して前記ハンガー本体部と前記ハサミ支持具の先端に設けられるハサミ抜止部とを前記合成樹脂の一体成形で構成したものである。
【０００９】
【作用】
衣料品用ハンガーの少なくともハサミ支持具またはフック部を、非磁性体金属と合成樹脂の複合材で構成し、ハサミ支持具またはフック部の端部に、中空部に充填される合成樹脂を膨出させた一体成形よりなり、ハンガー本体部に取り付けるための脱着可能な取付部を設けたので、コストが安くかつ優れた強度を持つと共に前記ハサミ支持具またはフック部を容易に交換することができる衣料品用ハンガーが得られる。
また、少なくともハサミ支持具を、非磁性体金属と該非磁性体金属の中空部に充填した合成樹脂との複合材で構成すると共に、非磁性体金属の所定部分に外面から中空部に連通する複数の穴を設け、該穴を介して前記ハンガー本体部と前記ハサミ支持具の先端に設けられるハサミ抜止部とを前記合成樹脂の一体成形で構成したので、製造が容易である。
【００１０】
【実施例】
以下、本発明に係る衣料品用ハンガーの実施例について図面を参照しながら説明する。
図１（Ａ）及び（Ｂ）はそれぞれ本発明の衣料品用ハンガーの形状の異なる実施例の概略図、図２は図１の衣料品用ハンガーに使用される複合材の例を示す概略図である。  図１において、１はハンガー本体部、２はフック部、３はハサミ支持具、４はハサミである。ハンガー本体部１及びハサミ４は合成樹脂（プラスチック）成形品である。ハンガー本体部１に取り付けられるフック部２及びハサミ支持具３は、図２に示す複合材が使用される。
すなわち、図２の複合材５は、中空部７ａに合成樹脂８を充填した非磁性体金属パイプ（例えばアルミパイプ）７からなる。
【００１１】
上記のように構成した衣料品用ハンガーでは、フック部２及びハサミ支持具３として複合材５を使用すると従来のアルミ等の非磁性体金属のみで作られたものと同様のデザインに使用できる。
なお、上記の実施例では、非磁性体金属としてアルミニウムを用いているが、もちろんその他の非磁性体金属を適宜用いても良い。
【００１２】
図３は、図１（Ａ）の衣料品用ハンガーの部分図で、（Ａ）はハンガー本体部とハサミ支持具の部分拡大図、（Ｂ）はハサミ支持具の部分断面図である。
ハサミ支持具３の端部には、中空部７ａから合成樹脂８を膨出させて一体成形された取付部９が設けられており、この取付部９は、ハサミ支持具３をハンガー本体部１に取り付けるための脱着可能な形状とされており、図では例えばすり割り９ｂを設けた矢形状９ａにされている。
一方、ハンガー本体部１には、ハサミ支持具３の取付部９が嵌込まれる嵌合部１ａと、外部から所定の深さに穿たれ、取付部９の矢形状９ａの先端部がその内部に突出する開口部１ｂが設けられている。
【００１３】
ハンガーの組み立て時、ハンガー本体部１の嵌合部１ａにハサミ支持具３の取付部９が嵌込まれ、矢形状９ａ部分が開口部１ｂの内部に突出して固定される。
ハンガーの使用時にハサミ支持具３が損傷した場合には、開口部１ｂを介して取付部９のすり割り９ｂをすぼませてハサミ支持具３を嵌合部１ａから引き抜くか、または矢形状９ａ部分を切断して引き抜くことにより、別のハサミ支持具３と容易に交換することができる。
【００１４】
図４は、図１（Ｂ）の衣料品用ハンガー部分図で、（Ａ）はハンガー本体部とフック部の部分拡大図、（Ｂ）はフック部の部分断面図、（Ｃ）はハサミ支持具の部分断面図である。
図において、ハサミ支持具３は、ハンガー本体部１を貫通して固定されており、その両端部に、ハサミ４が抜け落ちるのを防止するためのハサミ抜止部１１が設けられている。
フック部２の端部には、中空部７ａから合成樹脂８を膨出させて一体成形された取付部１０が設けられており、この取付部９は、フック部２をハンガー本体部１に取り付けるための脱着可能な形状とされており、図では例えば図３に示すハサミ支持具の取付部９と同一形状にされており、すり割り１０ｂを設けた矢形状１０ａにされている。
一方、ハンガー本体部１には、フック部２の取付部１０が嵌込まれる嵌合部１ｃと、外部から所定の深さに穿たれ、取付部１０の矢形状１０ａの先端部がその内部に突出する開口部１ｄが設けられている。
ハンガーの組み立て及びフック部の損傷時には、図３で説明したやり方と同じやり方で、フック部２を組み立て、交換することができる。
【００１５】
さらに、図１（Ｂ）及び図４に示す構造の衣料品用ハンガーは、製造工程において、ハサミ支持具３を、非磁性体金属７と該非磁性体金属７の中空部７ａに充填した合成樹脂８との複合材５で構成すると共に、非磁性体金属７の所定部分に外面から中空部７ａに連通する複数の穴１２を設け、この穴１２を介してハンガー本体部１とハサミ支持具３の先端に設けられるハサミ抜止部１１とを充填される合成樹脂８との一体成形で構成することができる。
このように、合成樹脂製のハンガー本体部１、複合材５からなるハサミ支持具３、及び合成樹脂製のハサミ抜止部１１の３つの構成部品が１度の工程で組み立てられるので、製造が容易である。
なお、図１（Ａ）に示す形状の衣料品用ハンガーは、図４で説明したフック部とハンガー本体部の構造を追加することにより、ハサミ支持具ばかりでなくフック部も交換可能な構造とすることができる。
【００１６】
【発明の効果】
本発明によれば、少なくともフック部またはハサミ支持具を、非磁性体金属と合成樹脂の複合材で構成し、ハサミ支持具またはフック部の端部に、中空部に充填される合成樹脂を膨出させた一体成形よりなり、ハンガー本体部に取り付けるための脱着可能な取付部を設けたので、加工し易く加工の際に傷が付きにくくかつコストが安価であり、しかも優れた強度を持つと共に、ハサミ支持具またはフック部を損傷時に容易に交換することができる衣料品用ハンガーが得られる。
【００１７】
また、本発明に係る衣料品用ハンガーは、少なくともハサミ支持具を、非磁性体金属と該非磁性体金属の中空部に充填した合成樹脂との複合材で構成すると共に、非磁性体金属の所定部分に外面から中空部に連通する複数の穴を設け、該穴を介して前記ハンガー本体部と前記ハサミ支持具の先端に設けられるハサミ抜止部とを前記合成樹脂の一体成形で構成したので、製造が容易である。
【図面の簡単な説明】
【図１】（Ａ）及び（Ｂ）はそれぞれ本発明の衣料品用ハンガーの形状の異なる実施例の概略図。
【図２】図１の衣料品用ハンガーに使用される複合材の例を示す概略図。
【図３】図１（Ａ）の衣料品用ハンガーの部分図で、（Ａ）はハンガー本体部とハサミ支持具の部分拡大図、（Ｂ）はハサミ支持具の部分断面図である。
【図４】図１（Ｂ）の衣料品用ハンガーの部分図で、（Ａ）はハンガー本体部とフック部の部分拡大図、（Ｂ）はフック部の部分断面図、（Ｃ）はハサミ支持具の部分断面図である。
【図５】従来の衣料品用ハンガーの部品構造を示し、（Ａ）はフック部の構造、（Ｂ）はハサミ支持具の構造である。
【符号の説明】
１  ハンガー本体部
１ａ  嵌合部
１ｂ  開口部
２  フック部
３  ハサミ支持具
４  ハサミ
５  複合材
７  非磁性体金属パイプ
８  合成樹脂
９，１０  取付部
９ａ，１０ａ  矢形状部
９ｂ，１０ｂ  すり割り
１１  ハサミ抜止部
１２  穴
【図１】
0003556984.tif 000002
【図２】
0003556984.tif 000003
【図３】
0003556984.tif 000004
【図４】
0003556984.tif 000005
【図５】
0003556984.tif 000006